(57)【要約】【課題】無線カード対応のシステムを導入している路線から磁気券対応のシステムを導入している路線への無線カードを利用したスムーズな乗り継ぎを可能にする改札処理方法を提供すること。【解決手段】無線通信により無線カードと交信し（ＳＴ１１）、無線カードに記録された情報を読み取り（ＳＴ１２）、無線カードから読み取られた情報に含まれる乗車情報に基づき入出場の可否を判断し（ＳＴ１３）、無線カードから読み取られた情報から磁気券の発行が必要なことが判明したとき（ＳＴ１４）、磁気券を発行するとともに（ＳＴ１５）、無線カードに対して磁気券の発行に対応した情報を記録する（ＳＴ１６）。【選択図】    図９
2004164588.tif 000002
【特許請求の範囲】
【請求項１】
無線通信により無線カードと交信し、無線カードに記録された情報を読み取り、情報の記録指示に対応して無線カードに対して情報を記録する通信手段と、
前記通信手段により無線カードから読み取られた情報に含まれる乗車情報に基づき入出場の可否を判断する判断手段と、
磁気券の発行指示に対応して磁気券を発行する発行手段と、
前記通信手段により無線カードから読み取られた情報から磁気券の発行が必要なことが判明したとき、前記発行手段に対して磁気券の発行を指示するとともに、前記通信手段に対して磁気券の発行指示に対応した情報の記録を指示する指示手段と、
を備えたことを特徴とする自動改札装置。
【請求項２】
無線通信により無線カードと交信し、無線カードに記録された情報を読み取り、必要に応じて無線カードに対して情報を記録する通信手段と、
前記通信手段により無線カードから読み取られた情報に含まれる乗車情報に基づき入出場の可否を判断する判断手段と、
磁気券の発行指示に対応して磁気券を発行する発行手段と、
前記通信手段により無線カードから読み取られた情報から磁気券の発行が必要なことが判明したとき、前記発行手段に対して磁気券の発行を指示する指示手段と、
前記発行手段の発行トラブルにより磁気券が発行不能な場合、無線カードによる入出場処理を禁止する制御手段と、
を備えたことを特徴とする自動改札装置。
【請求項３】
複数の自動改札装置及び各自動改札装置を集中管理する上位機器を備えた改札システムであって、
各自動改札装置は、
無線通信により無線カードと交信し、無線カードに記録された情報を読み取り、必要に応じて無線カードに対して情報を記録する通信手段と、
前記通信手段により無線カードから読み取られた情報に含まれる乗車情報に基づき入出場の可否を判断する判断手段と、
磁気券の発行指示又は代替発行の指示に対応して磁気券を発行する発行手段と、
前記通信手段により無線カードから読み取られた情報から磁気券の発行が必要なことが判明したとき、前記発行手段に対して磁気券の発行を指示する第１の指示手段と、
前記発行手段が磁気券を発行する際に、トラブルにより磁気券が発行不能となったとき、発行トラブルを前記上位機器に通知する通知手段と、
前記上位機器から送信される代替発行の指示を受信し、前記発行手段により磁気券が発行可能であれば、前記発行手段に対して磁気券の代替発行を指示する第２の指示手段と、
を備え、
前記上位機器は、
各自動改札装置から通知される前記発行トラブルを受信する受信手段と、
所定の自動改札装置に対して磁気券の代替発行の指示を送信する送信手段と、
を備えたことを特徴とする改札システム。
【請求項４】
複数の自動改札装置及び各自動改札装置を集中管理する上位機器を備えた改札システムであって、
各自動改札装置は、
無線通信により無線カードと交信し、無線カードに記録された情報を読み取り、必要に応じて無線カードに対して情報を記録する通信手段と、
前記通信手段により無線カードから読み取られた情報に含まれる乗車情報に基づき入出場の可否を判断する判断手段と、
磁気券の発行指示又は代替発行指示に対応して磁気券を発行する発行手段と、
前記通信手段により無線カードから読み取られた情報から磁気券の発行が必要なことが判明したとき、前記発行手段に対して磁気券の発行を指示する第１の指示手段と、
前記発行手段が磁気券を発行する際に、トラブルにより磁気券が発行不能となったとき、発行トラブルの要因となった無線カードの固有情報を前記上位機器に通知する通知手段と、
前記上位機器から送信される発行トラブルの要因となった無線カードの固有情報を受信し、且つ前記通信手段により発行トラブルの要因となった無線カードの固有情報と同一の固有情報が読み取られたとき、前記発行手段により磁気券が発行可能であれば、前記発行手段に対して磁気券の代替発行を指示する第２の指示手段と、
を備え、
前記上位機器は、
各自動改札装置から通知される発行トラブルの要因となった無線カードの固有情報を受信する受信手段と、
各自動改札装置に対して発行トラブルの要因となった無線カードの固有情報を送信する送信手段と、
を備えたことを特徴とする改札システム。
【請求項５】
無線通信により無線カードと交信し、無線カードに記録された情報を読み取り、必要に応じて無線カードに対して情報を記録する通信手段と、
前記通信手段により無線カードから読み取られた情報に含まれる乗車情報に基づき入出場の可否を判断する判断手段と、
磁気券の発行指示又は代替発行指示に対応して磁気券を発行する発行手段と、
前記通信手段により無線カードから読み取られた情報に含まれる乗車情報から磁気券の発行が必要なことが判明したとき、前記発行手段に対して磁気券の発行を指示する第１の指示手段と、
前記通信手段により無線カードから磁気券の代替発行を指示する情報が読み取られたとき、前記発行手段に対して磁気券の代替発行を指示する第２の指示手段と、
を備えたことを特徴とする自動改札装置。
【請求項６】
無線通信により無線カードと交信し、無線カードに記録された情報を読み取り、情報の記録指示に対応して無線カードに対して情報を記録し、情報の消去指示に対応して無線カードに記録された情報を消去する通信手段と、
前記通信手段により無線カードから読み取られた情報に含まれる乗車情報に基づき入出場の可否を判断する判断手段と、
磁気券の発行指示に対応して磁気券を発行する発行手段と、
前記通信手段により無線カードから読み取られた情報から磁気券の発行が必要なことが判明したとき、前記発行手段に対して磁気券の発行を指示するとともに、前記通信手段に対して磁気券の発行指示に対応した情報の記録を指示する第１の指示手段と、
磁気券の発行指示に対応して前記発行手段が磁気券を発行する際に、トラブルにより磁気券が発行不能となったとき、前記発行指示に対応した情報の消去を指示する第２の指示手段と、
を備えたことを特徴とする自動改札装置。
【請求項７】
無線通信により無線カードと交信し、無線カードに記録された情報を読み取り、
無線カードから読み取られた情報に含まれる乗車情報に基づき入出場の可否を判断し、
無線カードから読み取られた情報から磁気券の発行が必要なことが判明したとき、磁気券を発行するとともに、無線カードに対して磁気券の発行に対応した情報を記録する、
ことを特徴とする改札処理方法。
【請求項８】
無線通信により無線カードと交信し、無線カードに記録された情報を読み取り、無線カードから読み取られた情報に含まれる乗車情報に基づき入出場の可否を判断し、無線カードから読み取られた情報から磁気券の発行が必要なことが判明したとき磁気券を発行する改札処理方法において、
発行トラブルにより磁気券が発行不能な場合、無線カードによる入出場処理を禁止する、
ことを特徴とする改札処理方法。
【請求項９】
無線通信により無線カードと交信し、無線カードに記録された情報を読み取り、無線カードから読み取られた情報に含まれる乗車情報に基づき入出場の可否を判断し、無線カードから読み取られた情報から磁気券の発行が必要なことが判明したとき磁気券を発行する改札処理方法において、
第１の自動改札装置は、磁気券を発行する際に、トラブルにより磁気券が発行不能となったとき、発行トラブルを上位機器に通知し、
上位機器は、前記第１の自動改札装置から通知される発行トラブルを受信し、前記第１の自動改札装置と異なる第２の自動改札装置に対して磁気券の代替発行を指示し、
前記第２の自動改札装置は、前記上位機器からの代替発行の指示を受信し、磁気券を代替発行する、
ことを特徴とする改札処理方法。
【請求項１０】
無線通信により無線カードと交信し、無線カードに記録された情報を読み取り、無線カードから読み取られた情報に含まれる乗車情報に基づき入出場の可否を判断し、無線カードから読み取られた情報から磁気券の発行が必要なことが判明したとき磁気券を発行する改札処理方法において、
第１の自動改札装置は、磁気券を発行する際に、トラブルにより磁気券が発行不能となったとき、発行トラブルの要因となった無線カードの固有情報を上位機器に通知し、
前記上位機器は、前記第１の自動改札装置から通知される発行トラブルの要因となった無線カードの固有情報を受信し、前記第１の自動改札装置と異なる第２の自動改札装置に対して発行トラブルの要因となった無線カードの固有情報を送信し、
前記第２の自動改札装置は、前記上位機器から発行トラブルの要因となった無線カードの固有情報を受信し、且つ無線通信により無線カードから発行トラブルの要因となった無線カードの固有情報と同一の固有情報を読み取ったとき、磁気券を代替発行する、
ことを特徴とする改札処理方法。
【請求項１１】
無線通信により無線カードと交信し、無線カードに記録された情報を読み取り、無線カードから読み取られた情報に含まれる乗車情報に基づき入出場の可否を判断し、前記乗車情報から磁気券の発行が必要なことが判明したとき磁気券を発行する改札処理方法において、
無線カードから磁気券の代替発行を指示する情報が読み取られたとき、磁気券を代替発行する、
ことを特徴とする改札処理方法。
【請求項１２】
無線通信により無線カードと交信し、無線カードに記録された情報を読み取り、
無線カードから読み取られた情報に含まれる乗車情報に基づき入出場の可否を判断し、
無線カードから読み取られた情報から磁気券の発行が必要なことが判明したとき、磁気券の発行を指示するとともに、無線カードに対して磁気券の発行に対応した情報を記録し、
前記磁気券の発行指示に対応する磁気券が発行不能な場合、無線カードに記録された前記磁気券の発行に対応した情報を消去する、
ことを特徴とする改札処理方法。
【発明の詳細な説明】
【０００１】
【発明の属する技術分野】
この発明は、無線通信により無線カードと交信し、無線カードに記録された情報を読み取り、無線カードから読み取られた情報に含まれる乗車情報に基づき改札処理を行う自動改札装置、改札システム、及び改札処理方法に関する。
【０００２】
【従来の技術】
近年、改札処理の省力化を目的として、自動改札装置が導入されている。自動改札装置は、入場券、プリペイドカード、定期券、普通乗車券などの磁気券を受け取り、磁気券に記録された乗車情報を読み取り、入場又は出場の改札可否を判定し、磁気券を返却又は回収する。自動改札装置が、乗車情報の読み取り結果に基づき、運賃不足、期限切れ、区間外乗車などの理由から改札否と判定すると、ドアの開閉を制御して乗客を駅構内に入場させない、駅構内から出場させない、又は乗り換えを許可しないようにする。
【０００３】
最近は、複数枚対応の自動改札装置も登場している。複数枚対応の自動改札装置は、一人の乗客から投入される複数枚の磁気券を受け取り、各磁気券に記録された乗車情報を読み取り、入場又は出場の改札可否を総合的に判定し、磁気券を返却又は回収する。このような複数枚対応の自動改札装置は、例えば、乗り継ぎ改札口に設置される。
【０００４】
さらに近年は、上記説明した磁気券を扱う磁気券対応の自動改札装置の他に、磁気券及び無線カードを扱う無線カード対応の自動改札装置の導入も進められている。無線カード対応の自動改札装置は、上記したような磁気券対応の自動改札装置の機能に加えて、無線カードに基づく改札処理を行なうことができる。つまり、無線カード対応の自動改札装置は、無線カードと交信し、無線カードから乗車情報を読み取り、入場又は出場の改札可否を判定する。
【０００５】
【発明が解決しようとする課題】
上記した無線カード対応の自動改札装置を導入している第１の路線では、磁気券及び無線カードの両方を使用できる。上記した磁気券対応の自動改札装置しか導入していない第２の路線では、磁気券しか使用できない。
【０００６】
ここで問題となるのが、第１の路線から第２の路線への乗り継ぎである。例えば、無線カードを利用して第１の路線のある駅の自動改札装置を経由して入場し、第１の路線の乗り継ぎ駅から第２の路線に乗り継ぐ場合、無線カードを利用して、一旦、第１の路線の乗り継ぎ駅から出場しなければならない。続いて、磁気券を購入し、この磁気券を利用して第２の路線の乗り継ぎ駅の自動改札装置を経由して入場し、磁気券を利用して第２の路線の目的の降車駅の自動改札装置を経由して出場する。
【０００７】
この発明の目的は、上記したような事情に鑑み成されたものであって、無線カード対応のシステムを導入している路線から磁気券対応のシステムを導入している路線への無線カードを利用したスムーズな乗り継ぎを可能にする自動改札装置、改札システム、及び改札処理方法を提供することにある。
【０００８】
【課題を解決するための手段】
上記課題を解決し目的を達成するために、この発明の自動改札装置、自動改札システム、及び改札処理方法は、以下のように構成されている。
【０００９】
（１）この発明の自動改札装置は、無線通信により無線カードと交信し、無線カードに記録された情報を読み取り、情報の記録指示に対応して無線カードに対して情報を記録する通信手段と、前記通信手段により無線カードから読み取られた情報に含まれる乗車情報に基づき入出場の可否を判断する判断手段と、磁気券の発行指示に対応して磁気券を発行する発行手段と、前記通信手段により無線カードから読み取られた情報から磁気券の発行が必要なことが判明したとき、前記発行手段に対して磁気券の発行を指示するとともに、前記通信手段に対して磁気券の発行指示に対応した情報の記録を指示する指示手段とを備えている。
【００１０】
（２）この発明は、複数の自動改札装置及び各自動改札装置を集中管理する上位機器を備えた改札システムであって、
自動改札装置は、無線通信により無線カードと交信し、無線カードに記録された情報を読み取り、必要に応じて無線カードに対して情報を記録する通信手段と、前記通信手段により無線カードから読み取られた情報に含まれる乗車情報に基づき入出場の可否を判断する判断手段と、磁気券の発行指示又は代替発行の指示に対応して磁気券を発行する発行手段と、前記通信手段により無線カードから読み取られた情報から磁気券の発行が必要なことが判明したとき、前記発行手段に対して磁気券の発行を指示する第１の指示手段と、前記発行手段が磁気券を発行する際に、トラブルにより磁気券が発行不能となったとき、発行トラブルを前記上位機器に通知する通知手段と、前記上位機器から送信される代替発行の指示を受信し、前記発行手段により磁気券が発行可能であれば、前記発行手段に対して磁気券の代替発行を指示する第２の指示手段とを備え、
前記上位機器は、各自動改札装置から通知される前記発行トラブルを受信する受信手段と、所定の自動改札装置に対して磁気券の代替発行の指示を送信する送信手段とを備えている。
【００１１】
（３）この発明の改札処理方法は、無線通信により無線カードと交信し、無線カードに記録された情報を読み取り、無線カードから読み取られた情報に含まれる乗車情報に基づき入出場の可否を判断し、無線カードから読み取られた情報から磁気券の発行が必要なことが判明したとき、磁気券を発行するとともに、無線カードに対して磁気券の発行に対応した情報を記録する。
【００１２】
【発明の実施の形態】
以下、この発明の実施の形態について図面を参照して説明する。
【００１３】
図１は、改札処理システムの概略構成を示すブロック図である。図１に示すように、改札処理システムは、ホストコンピュータ１を備えている。ホストコンピュータ１には、例えば、複数の自動改札装置２が接続されている。
【００１４】
続いて、図２〜図５を参照して、自動改札装置２について説明する。図２は、自動改札装置２の外観を示す斜視図であり、図３は、自動改札装置２の磁気券処理機構の第１例を示す図であり、図４は、自動改札装置２の磁気券処理機構の第２例を示す図であり、図５は、自動改札装置の概略構成を示す機能ブロック図である。
【００１５】
この自動改札装置２は、例えば図７に示すように無線カード対応のシステムを採用する第１の路線Ａから磁気券対応のシステムを採用する第２の路線Ｂへの乗り継ぎ改札口に設置される。
【００１６】
また、この自動改札装置２は、通常、２台１組として設置され、両者の間に通行者が通行する通路が形成される。そして、この自動改札装置２は、磁気券及び無線カードの両方を処理できる。
【００１７】
図２に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口３が設けられ、他端部には、投入口３から投入された磁気券を返却する排出口４が設けられている。なお、投入口３には、必要に応じて開閉するシャッタが設けられている。  排出口４の前方には、通行者や駅員などに対して各種案内を行なうための案内表示部６が設けられている。
【００１８】
投入口３の前方には、アンテナ１６が設けられている。アンテナ１６は、たとえば、ループ状アンテナなどで構成されていて、通行者によりかざされる無線カードと無線通信を行なう。これにより、アンテナ１６は、無線カードから送信されるデータを受信したり、無線カードに対してデータを送信したりする。また、このアンテナ１６は、カバーにより覆われており、このカバーの内側には表示灯１６ａが設置されている。この表示灯１６ａは、無線通信が可能な状態のときには点灯し、無線通信が不能な状態のときには消灯するようになっている。
【００１９】
自動改札装置２の側面の両端部には、通行者の通行を制御する開閉動作可能なドア７が設けられており、通行可否の判定結果に基づき、このドア７が開閉制御される。
【００２０】
さらに、自動改札装置２には、センサ取付体８が立設されている。センサ取付体８には、通行者を検知する複数の光学的なセンサ、すなわち、出口検知器９、１０、及び中央通過検知器１３が設けられている。また、自動改札装置２の本体にも、通行者を検知する複数の光学的なセンサ、すなわち、進入検知器１１、１２、及び中央通過検知器１３が設けられている。
【００２１】
出口検知器９は、投入口３の部分を通過する通行者を検知し、出口検知器１０は、案内表示部６の部分を通過する通行者を検知し、進入検知器１２は、排出口４の部分を通過する通行者を検知し、進入検知器１１は、アンテナ１６の部分を通過する通行者を検知する。中央通過検知器１３は、自動改札装置２の本体に一対、センサ取付体８に一対と、合計２対（４個）の検知器からなり、通路の中央部を通過する通行者を検知する。
【００２２】
センサ取付体８には、自動改札装置の動作状態（小児券の投入、無効券の投入や機器の異常など）を表示する表示灯１４が設けられている。
【００２３】
図３に示すように、自動改札装置２の内部における投入口３と排出口４との間には、投入口３から受け取った磁気券を矢印ａ方向に沿って排出口３に搬送する主搬送路６１が形成されている。主搬送路６１の搬送経路上には、投入口３から排出口４に沿い、分離部６２、整列部６３、読取ヘッド６４及び６５、反転部６６、保留部６７、書込ヘッド６８、読取ヘッド６９、振分ゲート２２ａ、入鋏部２０、記録手段としての印刷部２１及び２７、振分ゲート２２ｂ、集積部２３などが順に設けられている。
【００２４】
また、主搬送路６１から分岐した分岐搬送路２５が設けられ、この分岐搬送路２５の搬送経路上には、保留部６７が設けられている。振分ゲート２２によって主搬送路６１から分岐される集札用搬送路２８には、集札保留部２９、振分ゲート３０が順に設けられ、さらに、その先に集札部３１が設けられている。振分ゲート３０によって集札用搬送路２８から分岐される別集札用搬送路３２の先には、別集札部３３が設けられている。
【００２５】
投入口３は、複数の磁気券を一括して受け取ることが可能である。分離部６２は、投入口３が一括して受け入れた複数の磁気券を１枚ずつ分離して整列部６３に送出する。整列部６３は、分離部６２から送出されてきた１枚ずつの磁気券を整列して読取ヘッド６４及び６５へ送出する。
【００２６】
読取ヘッド６４及び６５は、磁気券の裏面の磁気記録層に記録されているエンコード磁気情報を読み取る。読取ヘッド６４は、磁気券の裏面が上向きで搬送された場合に上向きの磁気記録層を読み取る。読取ヘッド６５は、磁気券の裏面が下向きで搬送された場合に下向きの磁気記録層を読み取る。なお、読取ヘッド６４及び６５にそれぞれ対向して、プラテンローラ６４ａ及び６５ａが設けられている。
【００２７】
反転部６６は、読取ヘッド６４及び６５を通過した磁気券の表裏が正しい場合、つまり、磁気記録層が下向きの場合、反転搬送路６６ａを介さないで保留部６７へ搬送する。また、反転部６６は、読取ヘッド６４及び６５を通過した磁気券の表裏が反転している場合、つまり、磁気記録層が上向きの場合、反転搬送路６６ａに磁気券を搬送した後、この反転搬送路６６ａから搬送路６６ｂを介して主搬送路６１へ導くことにより、磁気券の表裏を反転する。
【００２８】
保留部６７には、反転部６６を通過して振分ゲート２２ａを介して分岐搬送路２５を搬送される磁気券を一時的に保留するストッパ６７ａ及び６７ｂが設けられている。ストッパ６７ａ及び６７ｂによる保留を解除することにより、磁気券は、主搬送路６１に戻される。
【００２９】
書込ヘッド６８は、磁気券の磁気記録層に対してエンコード磁気情報を記録する。読取ヘッド６９は、ベリファイ用のヘッドであり、書込ヘッド６８で記録されたエンコード磁気情報を読み取る。なお、書込みヘッド６８及び読取ヘッド６９にそれぞれ対向して、プラテンローラ６８ａ及び６９ａが設けられている。
【００３０】
入鋏部２０は、主搬送路６１を搬送された磁気券に入鋏としての穿孔を形成する。印刷部２１及び２７は、主搬送路６１を搬送された磁気券に日付や改札場所名等の所定の情報を印刷する。印刷部２１及び２７は、例えばサーマルヘッド及びインクリボンを用いた熱転写方式のプリンタにより構成されている。
【００３１】
集積部２３は、一括投入された磁気券をサイズに応じて重ねて揃える。この集積部２３には、保留用のストッパ２３ａが設けられ、このストッパ２３ａにより、磁気券がまとめられる。まとめられた複数の磁気券は、排出口４から排出される。
【００３２】
集札保留部２９は、磁気券を保留するストッパ２９ａにより構成され、このストッパ２９ａによって、磁気券が集札部３１あるいは別集札部３３へ回収される手前で一時的に保留される。また、振分ゲート３０は、集札用搬送路２８によって搬送されてきた磁気券を集札部３１あるいは別集札部３３へ選択的に振り分ける。
【００３３】
投入口３の近傍には、磁気券の投入を検知する検知器５１が設けられている。排出口４の近傍には、排出口３から返却された磁気券の抜き取りを検知する検知器５２が設けられている。また、各搬送路上には、図示しない複数の検知器が配置され、搬送される磁気券の位置、磁気券の有無などを検知する。
【００３４】
さらに、自動改札装置２には、乗継券を作成するための券体を供給する供給装置３５が設けられている。この供給装置３５と上記した書込ヘッド６８、及び印刷部２１とにより乗継券を発行するための乗継券発行部４２が構成されている。
【００３５】
供給装置３５はロール紙３６を回転自在に備え、このロール紙３６は先端側から引き出されたのち、送出ローラ対３７、３８に挟持されて送り出されるようになっている。送出ローラ対３７、３８間にはカッタ３９が設けられ、ロール紙３６が送出ローラ対３７、３８により所定量送り出されると、カッタ３９により切断されて券体が構成されるようになっている。送出ローラ対３８の送出側にはカットされた券体を挟持して保留部６７の出口側に搬送する搬送ベルト４０が配設されている。
【００３６】
図４は、図３に示す磁気券処理機構の変形例を示す図である。図３に示す磁気券処理機構と同一部分については同一番号を付してその説明を省略する。図３に示す磁気券処理機構では、ロール紙３６を引き出して所定サイズにカットすることにより、券体４３を形成して情報記録部に搬送したが、図４に示す磁気券処理機構では、予め所定サイズにカットした券体４４を収納部４５に積層状態で収納し、この収納部４５から取出ローラ４６により券体４４を一枚づつ取出して情報記録部に搬送して、図８に示すような乗継用の磁気券４８を発行する。
【００３７】
図５に示すように、自動改札装置２は、ＣＰＵ２００、メモリ２０２、乗車券受取機構２０３、乗車券搬送機構２０４、乗車券返却機構２０５、乗車券回収機構２０６、乗車券保留機構２０７、情報読取部２０８、情報記録部２１０、改札判定部２１２、通行検知部２１４、開閉制御部２１６、表示制御部２２０、表示灯駆動制御部２２４、乗継券発行部４２、無線通信制御部２２６、通信制御部２３０などを備えている。
【００３８】
ＣＰＵ２００は、各部を制御し、改札処理に関する一連の動作を制御する。メモリ２０２は、ＣＰＵ２００の動作制御プログラム及び運賃情報等を記憶したり、無線カード又は磁気券から読み取った乗車情報等を一時記憶したりする。乗車券受取機構２０３は、投入口３などで構成されており、一人の乗客により投入された一枚の券を受け取る。或いは、乗車券受取機構２０３は、一人の乗客により投入された複数枚の券を一括して受け取る。乗車券搬送機構２０４は、主搬送路６１などで構成されており、受け取られた券を各部へ搬送する。乗車券返却機構２０５は、排出口４などで構成されており、受け取られた券を返却する。乗車券回収機構２０６は、乗車券返却機構２０５により返却された券が所定時間経過しても持ち去られない場合に取り忘れを検知し、返却した券を回収する。乗車券保留機構２０７は、回収された券を保留する。
【００３９】
情報読取部２０８は、読取ヘッド６４及び６５などで構成されており、券から乗車情報を読み取る。情報記録部２１０は、書込ヘッド６８、読取ヘッド６９、印刷部２１、２７などで構成されており、券に対して各種情報を記録する。改札判定部２１２は、券から読み取られた乗車情報に基づき、通行の可否を判定する。通行検知部２１４は、検知器９〜１３からの検知出力を受け取り、利用者の通行状況を検知する。ドア開閉制御部２１６は、改札判定結果に基づき、ドア７の開閉を制御する。表示制御部２２０は、例えば改札判定結果に基づき表示部６の表示内容を制御する。表示灯駆動制御部２２４は、磁気券又は無線カードから読み取った情報に基づき表示灯１４及び表示灯１６ａの駆動を制御する。例えば、小児券の投入、無効券の投入、機器の異常（後述する発券トラブル含む）などの動作状態に応じて表示灯１４及び表示灯１６ａの駆動を制御する。例えば、発券トラブルが検知されると表示灯１４を赤色点灯し、表示灯１６ａを消灯する。乗継券発行部４２は、供給装置３５、書込ヘッド６８、及び印刷部２１などで構成されており、乗継券を発行する。無線通信制御部２２６は、アンテナ１６により無線カードと交信し、無線カードに記録された情報を読み取ったり、情報の記録指示に対応して無線カードに対して情報を記録したり、情報の消去指示に対応して無線カードに記録された情報を消去したりする。この自動改札装置２は、通信制御部２３０を介してホストコンピュータ１と接続されている。
【００４０】
次に、図７を参照して、無線カード対応のシステムを採用する第１の路線Ａから磁気券対応のシステムを採用する第２の路線Ｂへの乗り継ぎ改札処理について説明する。
【００４１】
第１の路線Ａの駅構内Ａ１から第２の路線Ｂの駅構内Ｂ１に出場しようとする通行者は、無線カードを自動改札装置２のアンテナ１６にかざしてその乗車情報を送受信して改札処理を受ける。この改札処理により、通行が許可されると、ドア７が開放されるとともに、乗継券発行部４２による発券動作が開始される。発券動作が開始されると、ロール紙３６から送り出されて所定サイズにカットされて待機されている券体４３が搬送ベルト４０により挟持搬送されて保留部６７の出口側に搬送される。この券体４３は主搬送路６１に沿って搬送され、書込ヘッド６８、印刷部２１に順次送られ、その磁気面に乗継情報が磁気記録され、また、印刷面に乗継情報が印刷されて、図８に示すような乗継用の磁気券４８が発行されて排出口４に放出される。通行者はこの排出口４に放出された乗継用の磁気券４８を取出して自動改札装置２を通過して第２の路線Ｂの駅構内Ｂ１に出場し第２の路線に乗り換える。
【００４２】
上記したように自動改札装置２で乗継用の磁気券４８を発行するため、従来のように一旦、改札口を出て券売機で乗車券を購入したのち、再度、改札口を通って入場するといった必要がなく、無線カード対応のシステムを採用している第１の路線Ａから磁気券対応のシステムを採用している第２の路線Ｂへの乗り継ぎがスムーズになる。
【００４３】
また、乗継券発行部４２は既存の書込ヘッド６８及び印刷部２１を利用するため、書込ヘッド及び印刷部を新たに設ける必要がなく、低コストにて実現可能である。
【００４４】
次に、図６を参照して、ホストコンピュータ１の概略構成を説明する。図６に示すように、ホストコンピュータ１は、ＣＰＵ１００、メモリ１０１、表示部１０２、操作部１０３、及び通信制御部１０４を備えている。ＣＰＵ１００は、ホストコンピュータの基本的な動作を制御する。メモリ１０１は各種情報を記憶し、表示部１０２は各種情報を表示する。通信制御部１０４は、自動改札装置２から送信される各種情報を受信したり、自動改札装置２に対して各種情報を送信したりする。
【００４５】
次に、無線カード対応のシステムを採用する第１の路線Ａから磁気券対応のシステムを採用する第２の路線Ｂへの乗り継ぎ改札処理について説明する。
【００４６】
図９は、乗り継ぎ改札処理を説明するためのフローチャートである。図９に示すように、自動改札装置２の無線通信制御部２２６が無線カードと交信を開始し（ＳＴ１１）、無線カードに記録された情報を読み取る（ＳＴ１２）。改札判定部２１２は、無線カードから読み取られた情報に含まれる乗車情報に基づき入出場の可否を判断する（ＳＴ１３）。改札判定部２１２による判断の結果、つまり無線カードから読み取られた情報から、乗継券（磁気券）の発行が必要なことが判明すると（ＳＴ１４）、ＣＰＵ２００は乗継券の発行を指示するとともに、無線カードに対して乗継券の発行に対応した情報の記録を指示する。これに伴い、乗継券発行部４２は乗継券を発行し（ＳＴ１５）、無線通信制御部２２６は無線カードに対して乗継券の発行に対応した情報を記録する（ＳＴ１６）。
【００４７】
乗継券の発行が必要な第１のケースとしては、運賃不足（区間外乗車）のケースがある。例えば、無線カード対応のシステムを採用する第１の路線Ａから磁気券対応のシステムを採用する第２の路線Ｂへの乗り継ぎ駅の改札口を経由して、第１の路線Ａの第１の駅から第２の路線Ｂの第２の駅までの乗車を想定する。第１の路線Ａの第１の駅の入場に利用した無線カードによる有効乗車区間が、乗り継ぎ駅までであると仮定すると、このような場合には乗継券として第２の駅の出口改札で精算を必要とする券を発行する。乗継券の発行が必要な第２のケースとしては、区間内乗車のケースがある。第１の路線Ａの第１の駅の入場に利用した無線カードによる有効乗車区間が、第２の駅までであると仮定すると、このような場合には乗継券として第２の駅の出口改札で精算を必要としない券を発行する。
【００４８】
上記した乗継券の発行に対応した情報とは、乗継券が発行されたことを示す情報（発券済みビットデータ）、又は出場済みを示す情報（出場済みビットデータ）である。無線カードに対して乗継券の発行に対応した情報を記録することにより、次に無線カードで入場改札処理を受ける際に、入出場チェックを受けても、問題なく入場改札を通過することができる。
【００４９】
次に、上記した乗り継ぎ改札処理において、乗継券発行部４２の発行トラブルにより乗継券が発行不能となった場合の発行トラブル対応処理について説明する。発行トラブルとは、例えば乗継券発行部４２のロール紙が切れたり、券詰まりが生じたりした場合である。
【００５０】
図１０は、発行トラブル対応処理その１を説明するためのフローチャートである。乗継券発行部４２が発行トラブルを検知し乗継券を発行できない場合には（ＳＴ２１）、ＣＰＵ２００の動作制御により無線カードによる入出場処理が禁止される。具体的に言うと、表示灯１６ａが消灯し（ＳＴ２２）、無線カードによる入出場処理が禁止されていることを報知する。さらには、表示部６に、無線カードによる入出場処理が禁止されていることが表示される（ＳＴ２３）。これにより、乗客は、発行トラブルを起こした自動改札装置が乗継券を発行できないことを知ることができる。また、発行トラブルを起こした自動改札装置は、無線カードによる入出場処理だけを禁止し、磁気券による入出場処理は継続する。全ての改札処理を停止する場合に比べて、効率の良い改札処理が実現できる。
【００５１】
図１１は、発行トラブル対応処理その２を説明するためのフローチャートである。例えば、複数台の自動改札装置２の中の第１の自動改札装置において、乗継券を発行する際に、発行トラブルにより乗継券が発行不能となったとき（ＳＴ３１）、第１の自動改札装置は通信制御部２３０を介して発行トラブルをホストコンピュータ１に通知する（ＳＴ３２）。ホストコンピュータ１の通信制御部１０４は、第１の自動改札装置から通知される発行トラブルを受信する（ＳＴ３３）。受信した発行トラブルに関する情報は、ホストコンピュータ１の表示部１０２に表示される。ホストコンピュータ１の通信制御部１０４は、第１の自動改札装置と異なる第２の自動改札装置に対して乗継券の代替発行を指示する（ＳＴ３４）。代替発行の指示は、操作部１０３から入力される係員からの指示に基づき出力するようにしてもよいし、ホストコンピュータ１（ＣＰＵ１００）の判断により出力するようにしてもよい。第２の自動改札装置の通信制御部２３０はホストコンピュータ１からの代替発行の指示を受信し（ＳＴ３５）、第２の自動改札装置の乗継券発行部４２が乗継券を代替発行する（ＳＴ３６）。これにより、無線カードにより乗り継ぎしようとする乗客は、特定の自動改札装置（発行トラブルを起こした自動改札装置）から乗継券を受け取ることができなくても、別の自動改札装置で発行される乗継券を受け取ることができ、スムーズな乗り継ぎが可能となる。
【００５２】
図１２は、発行トラブル対応処理その３を説明するためのフローチャートである。例えば、複数台の自動改札装置２の中の第１の自動改札装置において、乗継券を発行する際に、発行トラブルにより乗継券が発行不能となったとき（ＳＴ４１）、第１の自動改札装置は通信制御部２３０を介して発行トラブルの要因となった無線カードの固有情報（ＩＤコード）をホストコンピュータ１に通知する（ＳＴ４２）。自動改札装置２に対してある無線カードをかざし、この無線カードに記録された情報から乗継券の発行が必要なことが判明したが、発行トラブルにより乗継券を発行できない場合、この無線カードを発行トラブルの要因となった無線カードと称する。ホストコンピュータ１の通信制御部１０４は、第１の自動改札装置から通知される発行トラブルの要因となった無線カードの固有情報を受信する（ＳＴ４３）。ホストコンピュータ１の通信制御部１０４は、第１の自動改札装置と異なる第２の自動改札装置に対して発行トラブルの要因となった無線カードの固有情報を送信する（ＳＴ４４）。第２の自動改札装置の通信制御部２３０はホストコンピュータ１から送信される発行トラブルの要因となった無線カードの固有情報を受信する（ＳＴ４５）。ここで、第２の自動改札装置のアンテナ１６を介して無線通信により無線カードから発行トラブルの要因となった無線カードの固有情報と同一の固有情報を読み取ると、この第２の自動改札装置の乗継券発行部４２が乗継券を代替発行する（ＳＴ４６）。これにより、無線カードにより乗り継ぎしようとする乗客は、特定の自動改札装置（発行トラブルを起こした自動改札装置）から乗継券を受け取ることができなくても、別の自動改札装置に無線カードをかざせば、別の自動改札装置で発行される乗継券を受け取ることができ、スムーズな乗り継ぎが可能となる。なお、上記説明では、第２の自動改札装置だけに発行トラブルの要因となった無線カードの固有情報を送信するケースについて説明したが、この発明はこれに限定されるものではない。例えば、複数の自動改札装置の中の第１の自動改札装置において発行トラブルが発生した場合、第１の自動改札装置を除く全ての自動改札装置に対して発行トラブルの要因となった無線カードの固有情報を送信する。これにより、乗客は、発行トラブルを起こした自動改札装置を除く、全ての自動改札装置で乗継券の代替発行を受けることができる。
【００５３】
図１３は、発行トラブル対応処理その４を説明するためのフローチャートである。発行トラブル対応処理その４では、係員用の無線カードを利用する。この係員用の無線カードには、乗継券の代替発行を指示する情報が記録されている。自動改札装置２は、アンテナ１６により係員用の無線カードと交信し（ＳＴ５１）、無線通信制御部２２６により乗継券の代替発行を指示する情報を読み取ると（ＳＴ５２）、乗継券発行部４２により乗継券を代替発行する（ＳＴ５３）。これにより、ある自動改札装置で発行トラブルが発生しても、係員がかけつけて、別の自動改札装置に対して係員用の無線カードをかざせば、乗継券を代替発行させることができる。乗客は、代替発行された乗継券を受け取ることができ、スムーズな乗り継ぎが可能となる。
【００５４】
図１４は、発行トラブル対応処理その５を説明するためのフローチャートである。自動改札装置２の乗継券発行部４２が発行トラブルを検知し乗継券を発行できない場合には（ＳＴ６１）、無線通信制御部２２６は乗継券の発行に対応した情報の消去を指示し（ＳＴ６２）、この指示に対応して無線カードに記録された乗継券の発行に対応した情報が消去される（ＳＴ６３）。これにより、発行トラブルが発生し実際には乗継券が発行されていないにもかかわらず、無線カードに乗継券の発行に対応した情報が記録されたままの状態になるのを防止できる。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５６】
【発明の効果】
この発明によれば、無線カード対応のシステムを導入している路線から磁気券対応のシステムを導入している路線への無線カードを利用したスムーズな乗り継ぎを可能にする自動改札装置、改札システム、及び改札処理方法を提供できる。
【図面の簡単な説明】
【図１】改札処理システムの概略構成を示すブロック図である。
【図２】図１に示す改札処理システムに適用される自動改札装置の外観を示す斜視図である。
【図３】図１に示す改札処理システムに適用される自動改札装置の磁気券処理機構の第１例を示す図である。
【図４】図１に示す改札処理システムに適用される自動改札装置の磁気券処理機構の第２例を示す図である。
【図５】図１に示す改札処理システムに適用される自動改札装置の概略構成を示す機能ブロック図である。
【図６】図１に示す改札処理システムに適用されるホストコンピュータの概略構成を示す図である。
【図７】無線カード対応のシステムを採用する第１の路線Ａから磁気券対応のシステムを採用する第２の路線Ｂへの乗り継ぎ改札口をイメージした図である。
【図８】自動改札装置により発行される乗継券の一例を示す図である。
【図９】乗り継ぎ改札処理を説明するためのフローチャートである。
【図１０】発行トラブル対応処理その１を説明するためのフローチャートである。
【図１１】発行トラブル対応処理その２を説明するためのフローチャートである。
【図１２】発行トラブル対応処理その３を説明するためのフローチャートである。
【図１３】発行トラブル対応処理その４を説明するためのフローチャートである。
【図１４】発行トラブル対応処理その５を説明するためのフローチャートである。
【符号の説明】
１…ホストコンピュータ、２…自動改札装置、１６…アンテナ、３６…ロール紙、４２…乗継券発行部、４８…乗継券、６４…読取ヘッド、６８…書込ヘッド
【図１】
2004164588.tif 000003
【図２】
2004164588.tif 000004
【図３】
2004164588.tif 000005
【図４】
2004164588.tif 000006
【図５】
2004164588.tif 000007
【図６】
2004164588.tif 000008
【図７】
2004164588.tif 000009
【図８】
2004164588.tif 000010
【図９】
2004164588.tif 000011
【図１０】
2004164588.tif 000012
【図１１】
2004164588.tif 000013
【図１２】
2004164588.tif 000014
【図１３】
2004164588.tif 000015
【図１４】
2004164588.tif 000016